【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
少なくとも、通信手段と、撮影手段と、画像情報を所定のフォーマットにて電子ファイルに変換する変換手段とを有する携帯情報端末と、前記画像情報を記憶する画像情報記憶手段と、を有する情報処理システムであって、
前記携帯情報端末は、前記画像情報の所定のメタ情報記述部分に所定の処理情報を記述する処理情報記述手段を有し、
前記携帯情報端末によりネットワークを介して接続可能な前記画像情報記憶手段を監視し、前記画像情報記憶手段に前記メタ情報が格納された画像ファイルが送信された際に、前記メタ情報を元に前記画像情報に所定の処理を行い、かつ処理結果もしくは処理過程の少なくともいずれかの情報を保持または提示する保持／提示手段と、
を備えたことを特徴とする画像情報処理システム。
【請求項２】
前記携帯情報端末が前記画像処理情報をメタ情報領域である画像フォーマットのタグ情報領域にテキスト情報として記述するテキスト情報記述手段を備えたことを特徴とする請求項１に記載の画像情報処理システム。
【請求項３】
前記メタ情報の処理項目リストをあらかじめ前記携帯情報端末内に記憶するための記憶手段を有し、操作者による前記リスト内の処理項目の選択情報よりメタ情報領域に所定の処理情報を記述する処理情報記述手段を備えたことを特徴とする請求項１に記載の画像情報処理システム。
【請求項４】
ネッワークを介して前記画像情報が送信され前記画像情報記憶手段に保存されたことを検知する検知手段と、
画像ファイル情報が完全に前記画像情報記憶手段に記憶された段階で前記メタ情報に基づく処理を行う処理手段と、
を備えたことを特徴とする請求項１に記載の画像情報処理システム。
【請求項５】
少なくとも、通信手段と、撮影手段と、画像情報を所定のフォーマットにて電子ファイルに変換する変換手段と、を有する携帯情報端末と、前記画像情報を記憶する画像情報記憶手段を有する情報処理システムにおける画像情報処理方法であって、
前記画像情報の所定のメタ情報記述部分に所定の処理情報を記述するステップを有する前記携帯情報端末における第一の工程と、
前記携帯情報端末によりネットワークを介して接続可能な前記画像情報記憶手段を監視
し、前記画像情報記憶手段に前記メタ情報が格納された画像ファイルが送信された際に、前記メタ情報を元に前記画像情報に所定の処理を行う第二の工程と、
処理結果もしくは処理過程の少なくともいずれかの情報を保持もしくは提示する第三の工程と、
を含むことを特徴とする画像情報処理方法。
【請求項６】
前記携帯情報端末が前記処理情報をメタ情報領域である画像フォーマットのタグ情報領域にテキスト情報として記述するテキスト情報記述工程を含むことを特徴とする請求項５に記載の画像情報処理方法。
【請求項７】
前記メタ情報の処理項目リストをあらかじめ前記携帯情報端末内に記憶する処理項目リスト記憶工程と、
操作者による前記リスト内の処理項目の選択情報によりメタ情報領域に所定の処理情報を記述する処理情報記述工程と、
を含むことを特徴とする請求項５に記載の画像情報処理方法。
【請求項８】
ネットワークを介して前記画像情報が送信され前記画像情報記憶手段に保存されたことを検知する検知工程と、
画像ファイル情報が完全に前記記憶装置で受信された段階で前記メタ情報に基づく処理を行う処理工程と、
を含むことを特徴とする請求項５に記載の画像情報処理方法。
【請求項９】
デジタル情報として画像情報を取得可能な撮影手段と、少なくとも前記画像情報を添付情報として送信可能な電子メール送信手段とを有する携帯情報端末と、前記携帯情報端末より送信された添付画像情報付きメールを受信する情報処理装置と、からなる画像情報処理システムであって、
前記携帯情報端末は、
前記画像情報のメタ情報領域の所望の領域に所定の処理情報を挿入する処理情報挿入手段と、
送信メールデータの所望の領域に所定の処理指示データ情報を記述する指示データ記述手段と、
を備え、
前記情報処理装置は、
前記画像情報を前記メタ情報内に挿入された処理情報に対応した画像処理を行って所望の処理結果を取得する画像情報処理手段と、
少なくともメールの件名や本文もしく画像情報内のメタ情報領域に記述されたいずれかの操作手順処理情報を解析する解析手段と、
前記画像情報処理手段による処理結果と、前記操作処理手順解析で得られた処理手順とにより所望の情報操作を制御実行する処理手段と、
処理結果もしくは処理過程の少なくともいずれかの情報をメールにて提示する提示手段と、
を備えたことを特徴とする画像情報処理システム。
【請求項１０】
前記画像情報の処理結果により所定のデータベースに格納され処理結果に対応した付加情報を参照する付加情報参照手段を有し、前記処理手順内に参照されたデータに応じて所望な処理を追加する処理制御手段を有することを特徴とする請求項９に記載の画像情報処理システム。
【請求項１１】
実装されている処理サービスのリスト情報を格納するリスト情報格納手段と、
前記携帯情報端末において所定の情報処理装置に対して実行可能な前記情報処理内容を示す処理サービスリストを要求する要求手段と、
前記情報処理装置からの前記サービスリスト情報を格納する格納手段と、
前記画像情報のメタ情報に前記サービスリストからの選択操作により処理情報をセットする操作手段と、
を備えたことを特徴とする請求項９に記載の画像情報処理システム。
【請求項１２】
前記画像情報が複数の画像情報からなり、前記画像情報処理手段において前記複数の画像情報から所定の処理用の画像データを生成する画像処理手段を設けたことを特徴とする請求項９に記載の画像情報処理システム。
【請求項１３】
デジタル情報として画像情報を取得可能な撮影手段と、少なくとも前記画像情報を添付情報として送信可能な電子メール送信手段とを有する携帯情報端末と、前記端末より送信された添付情報付きメールを受信する画像情報処理方法であって、
前記画像情報のメタ情報領域の所望の領域に所定の情報を挿入する情報挿入工程と、
送信メールデータの所望の領域に所定の処理指示データ情報を挿入する指示データ挿入工程と、
前記画像情報を前記メタ情報内に挿入された情報に対応した画像処理を行って所望の処理結果を取得する画像情報処理工程と、
少なくともメールの件名や本文または画像情報内のメタ情報領域に記述されたいずれかの操作手順処理情報を解析する解析工程と、
前記画像情報処理手段による処理結果と、前記操作処理手順解析で得られた処理手順とにより所望の情報操作を制御実行する処理工程と、
処理結果または処理過程の少なくともいずれかの情報をメールにて提示する提示工程と、
を含むことを特徴とする画像情報処理方法。
【請求項１４】
前記画像情報の処理結果により所定のデータベースに格納され処理結果に対応した付加情報を参照する付加情報参照工程と、
前記処理手順内に参照されたデータに応じて前記処理手順内に所望な処理を追加する処理制御工程と、
を含むことを特徴とする請求項１３に記載の画像情報処理方法。
【請求項１５】
実装されている処理サービスのリスト情報を格納するリスト情報格納工程と、
前記携帯情報端末において所定の情報処理装置に対して実行可能な前記情報処理内容を示す処理サービスリストを要求する要求工程と、
前記情報処理装置からの前記サービスリスト情報を格納するサービスリスト情報格納工程と、
前記画像情報のメタ情報に前記サービスリストからの選択操作により処理情報をセットする操作工程と、
を含むことを特徴とする請求項１３に記載の画像情報処理方法。
【請求項１６】
前記画像情報が複数の画像情報からなり、前記複数の画像情報から所定の処理用の画像データを生成する画像処理工程を含むことを特徴とする請求項１３に記載の画像情報処理方法。
【請求項１７】
少なくとも、通信手段と、撮影手段と、画像情報を所定のフォーマットにて電子ファイルに変換する変換手段とを有する携帯情報端末と、前記通信手段にて接続可能なネットワーク上に設置してなる前記画像情報を取得する画像情報取得手段と、を有し、
前記携帯情報端末は、前記画像情報を前記ネットワークを介して前記画像情報取得手段に送信する際に前記画像ファイルもしくは送信情報に所定の処理情報を記述する記述手段を有し、
前記画像情報取得手段を監視し前記画像情報取得手段に前記処理情報を含む添付情報が付加された画像ファイルが送信された際に前記添付情報を元に前記画像情報に対して所定の処理を行う画像情報処理システムであって、
前記処理対象画像が少なくとも同一もしくはひとつ以上の撮影条件を変化させて同一対象を撮影した連続画像情報であり、少なくとも２つ以上の前記画像情報の画像処理結果を基に前記添付情報に含まれる処理情報に基づく処理を実行する処理実行手段を備えたことを特徴とする画像情報処理システム。
【請求項１８】
前記連続画像情報が同一対象を撮影した画像情報であることを示す情報を各画像情報の
ファイル名やメタ情報等のファイル属性に付加するファイル属性付加手段を設けたことを特徴とする請求項１７に項記載の画像情報処理システム。
【請求項１９】
前記連続画像情報での画像処理結果のうち少なくとも２つ以上一致する結果が得られたことを認識する認識手段と、
前記一致結果を画像処理結果として採用して前記画像情報に付加された処理を継続する継続手段と、
を設けたことを特徴とする請求項１７に記載の画像情報処理システム。
【請求項２０】
前記連続画像情報の各画像処理結果を比較合成する比較合成手段と、
前記比較合成手段からの比較合成処理結果を用いて前記画像情報に付加された処理を継続する処理継続手段と、
を設けたことを特徴とする請求項１７に記載の画像情報処理システム。
【請求項２１】
少なくとも、通信手段と、撮影手段と、画像情報を所定のフォーマットにて電子ファイルに変換する変換手段とを有する携帯情報端末と、前記画像情報を取得する画像情報取得手段と、を有し、
さらに前記携帯情報端末は、前記画像情報を前記ネットワークを介して前記取得手段に送信する際に前記画像ファイルもしくは送信情報に所定の処理情報を記述する情報記述手段を有し、
前記画像取得手段を監視し前記画像情報取得手段に前記処理情報を含む添付情報が付加された画像ファイルが送信された際に前記添付情報を元に前記画像情報に対して所定の処理を行う画像情報処理方法であって、
前記処理対象画像が少なくとも同一もしくはひとつ以上の撮影条件を変化させて同一対象を撮影する撮影工程と、
前記画像情報群を送信する送信工程と、
少なくとも２つ以上の前記画像情報の画像処理結果を基に前記添付情報に含まれる処理情報に基づく処理を実行する処理工程と、
を含むことを特徴とする画像情報処理方法。
【請求項２２】
前記連続画像情報が同一対象を撮影した画像情報であることを示す情報を各画像情報のファイル名やメタ情報等のファイル属性に付加する属性付加工程を含むことを特徴とする請求項２１に記載の画像情報処理方法。
【請求項２３】
前記連続画像情報での画像処理結果のうち少なくとも２つ以上一致する結果が得られたことを認識する認識工程と、
前記の一致結果を画像処理結果として採用して前記画像情報に付加された処理を継続する継続工程と、
を含むことを特徴とする請求項２１に記載の画像情報処理方法。
【請求項２４】
前記連続画像情報の各画像処理結果を比較合成する比較合成工程と、
前記比較合成工程からの比較合成処理結果を用いて前記画像情報に付加された処理を継続する継続工程と、
を含むことを特徴とする請求項２１に記載の画像情報処理方法。
【手続補正２】
【補正対象書類名】明細書
【補正対象項目名】０００８
【補正方法】変更
【補正の内容】
【０００８】
上述した課題を解決し、目的を達成するために、請求項１にかかる発明は、少なくとも、通信手段と、撮影手段と、画像情報を所定のフォーマットにて電子ファイルに変換する変換手段とを有する携帯情報端末と、前記画像情報を記憶する画像情報記憶手段と、を有する情報処理システムであって、前記携帯情報端末は、前記画像情報の所定のメタ情報記述部分に所定の処理情報を記述する処理情報記述手段を有し、前記携帯情報端末によりネットワークを介して接続可能な前記画像情報記憶手段を監視し、前記画像情報記憶手段に前記メタ情報が格納された画像ファイルが送信された際に、前記メタ情報を元に前記画像情報に所定の処理を行い、かつ処理結果もしくは処理過程の少なくともいずれかの情報を保持または提示する保持／提示手段と、を備えたことを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
また、請求項５にかかる発明は、少なくとも、通信手段と、撮影手段と、画像情報を所定のフォーマットにて電子ファイルに変換する変換手段と、を有する携帯情報端末と、前記画像情報を記憶する画像情報記憶手段を有する情報処理システムにおける画像情報処理方法であって、前記画像情報の所定のメタ情報記述部分に所定の処理情報を記述するステップを有する前記携帯情報端末における第一の工程と、前記携帯情報端末によりネットワークを介して接続可能な前記画像情報記憶手段を監視し、前記画像情報記憶手段に前記メタ情報が格納された画像ファイルが送信された際に、前記メタ情報を元に前記画像情報に所定の処理を行う第二の工程と、処理結果もしくは処理過程の少なくともいずれかの情報を保持もしくは提示する第三の工程と、を含むことを特徴とする。
【手続補正８】
【補正対象書類名】明細書
【補正対象項目名】００２２
【補正方法】変更
【補正の内容】
【００２２】
また、請求項６にかかる発明は、前記携帯情報端末が前記処理情報をメタ情報領域である画像フォーマットのタグ情報領域にテキスト情報として記述するテキスト情報記述工程を含むことを特徴とする。
【手続補正９】
【補正対象書類名】明細書
【補正対象項目名】００２３
【補正方法】変更
【補正の内容】
【００２３】
この発明によれば、請求項５において、携帯情報端末が前記処理情報をメタ情報領域である画像フォーマットのタグ情報領域にテキスト情報として記述するテキスト情報記述工程を含むことにより、小型で情報処理が限定された携帯情報端末において簡便でかつユーザの要求に対して柔軟な情報提供が実現可能になる。
【手続補正１０】
【補正対象書類名】明細書
【補正対象項目名】００２４
【補正方法】変更
【補正の内容】
【００２４】
また、請求項７にかかる発明は、前記メタ情報の処理項目リストをあらかじめ前記携帯情報端末内に記憶する処理項目リスト記憶工程と、操作者による前記リスト内の処理項目の選択情報によりメタ情報領域に所定の処理情報を記述する処理情報記述工程と、を含むことを特徴とする。
【手続補正１１】
【補正対象書類名】明細書
【補正対象項目名】００２５
【補正方法】変更
【補正の内容】
【００２５】
この発明によれば、請求項５において、メタ情報の処理項目リストをあらかじめ前記携帯情報端末内に記憶する処理項目リスト記憶工程と、操作者による前記リスト内の処理項目の選択情報によりメタ情報領域に所定の処理情報を記述する処理情報記述工程と、を含むことにより、ユーザインターフェイスに乏しい小型の携帯情報端末においても効率のよい入力が可能になる。
【手続補正１２】
【補正対象書類名】明細書
【補正対象項目名】００２６
【補正方法】変更
【補正の内容】
【００２６】
また、請求項８にかかる発明は、ネットワークを介して前記画像情報が送信され前記画像情報記憶手段に保存されたことを検知する検知工程と、画像ファイル情報が完全に前記記憶装置で受信された段階で前記メタ情報に基づく処理を行う処理工程と、を含むことを特徴とする。
【手続補正１３】
【補正対象書類名】明細書
【補正対象項目名】００２７
【補正方法】変更
【補正の内容】
【００２７】
この発明によれば、請求項５において、ネットワークを介して前記画像情報が送信され前記画像情報記憶手段に保存されたことを検知する検知工程と、画像ファイル情報が完全に記憶装置で受信された段階でメタ情報に基づく処理を行う処理工程と、を含むことにより、使用するネットワーク環境による遅延などに起因する処理エラーを低減することが可能になる。
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】変更
【補正の内容】
【００３２】
また、請求項９にかかる発明は、デジタル情報として画像情報を取得可能な撮影手段と、少なくとも前記画像情報を添付情報として送信可能な電子メール送信手段とを有する携帯情報端末と、前記携帯情報端末より送信された添付画像情報付きメールを受信する情報処理装置と、からなる画像情報処理システムであって、前記携帯情報端末は、前記画像情報のメタ情報領域の所望の領域に所定の処理情報を挿入する処理情報挿入手段と、送信メールデータの所望の領域に所定の処理指示データ情報を記述する指示データ記述手段と、を備え、前記情報処理装置は、前記画像情報を前記メタ情報内に挿入された処理情報に対応した画像処理を行って所望の処理結果を取得する画像情報処理手段と、少なくともメールの件名や本文もしく画像情報内のメタ情報領域に記述されたいずれかの操作手順処理情報を解析する解析手段と、前記画像情報処理手段による処理結果と、前記操作処理手順解析で得られた処理手順とにより所望の情報操作を制御実行する処理手段と、処理結果もしくは処理過程の少なくともいずれかの情報をメールにて提示する提示手段と、を備えたことを特徴とする。
【手続補正１９】
【補正対象書類名】明細書
【補正対象項目名】００３３
【補正方法】変更
【補正の内容】
【００３３】
この発明によれば、請求項９に記載の各構成により、小型で情報処理が限定された携帯情報端末において簡便でかつユーザの要求に対して柔軟な情報提供が実現可能になる。
【手続補正２０】
【補正対象書類名】明細書
【補正対象項目名】００３４
【補正方法】変更
【補正の内容】
【００３４】
また、請求項１０にかかる発明は、前記画像情報の処理結果により所定のデータベースに格納され処理結果に対応した付加情報を参照する付加情報参照手段を有し、前記処理手順内に参照されたデータに応じて所望な処理を追加する処理制御手段を有することを特徴とする。
【手続補正２１】
【補正対象書類名】明細書
【補正対象項目名】００３５
【補正方法】変更
【補正の内容】
【００３５】
この発明によれば、請求項９において、画像情報の処理結果により所定のデータベースに格納され処理結果に対応した付加情報を参照する付加情報参照手段を有し、前記処理手順内に参照されたデータに応じて所望な処理を追加する処理制御手段を有することにより、小型で情報処理が限定された携帯情報端末において簡便でかつユーザの要求に対して柔軟な情報提供が実現可能になる。
【手続補正２２】
【補正対象書類名】明細書
【補正対象項目名】００３６
【補正方法】変更
【補正の内容】
【００３６】
また、請求項１１にかかる発明は、実装されている処理サービスのリスト情報を格納するリスト情報格納手段と、前記携帯情報端末において所定の情報処理装置に対して実行可能な前記情報処理内容を示す処理サービスリストを要求する要求手段と、前記情報処理装置からの前記サービスリスト情報を格納する格納手段と、前記画像情報のメタ情報に前記サービスリストからの選択操作により処理情報をセットする操作手段と、を備えたことを特徴とする。
【手続補正２３】
【補正対象書類名】明細書
【補正対象項目名】００３７
【補正方法】変更
【補正の内容】
【００３７】
この発明によれば、請求項９において、実装されている処理サービスのリスト情報を格納するリスト情報格納手段と、携帯情報端末において所定の情報処理装置に対して実行可能な情報処理内容を示す処理サービスリストを要求する要求手段と、情報処理装置からの前記サービスリスト情報を格納する格納手段と、画像情報のメタ情報に前記サービスリストからの選択操作により処理情報をセットする操作手段と、を備えたことにより、ロケーションやＬＡＮごとに提供されるサービスをユーザが自由にかつ簡便に利用する環境を提供することが可能になる。
【手続補正２４】
【補正対象書類名】明細書
【補正対象項目名】００３８
【補正方法】変更
【補正の内容】
【００３８】
また、請求項１２にかかる発明は、前記画像情報が複数の画像情報からなり、前記画像情報処理手段において前記複数の画像情報から所定の処理用の画像データを生成する画像処理手段を設けたことを特徴とする。
【手続補正２５】
【補正対象書類名】明細書
【補正対象項目名】００３９
【補正方法】変更
【補正の内容】
【００３９】
この発明によれば、請求項９において、画像情報が複数の画像情報からなり、画像情報処理手段において複数の画像情報から所定の処理用の画像データを生成する画像処理手段を設けたことにより、複数の画像情報から信頼性の高い情報を提供することが可能になり、なりすましなどのセキュリティ対策が可能になる。
【手続補正２６】
【補正対象書類名】明細書
【補正対象項目名】００４０
【補正方法】変更
【補正の内容】
【００４０】
また、請求項１３にかかる発明は、デジタル情報として画像情報を取得可能な撮影手段と、少なくとも前記画像情報を添付情報として送信可能な電子メール送信手段とを有する携帯情報端末と、前記端末より送信された添付情報付きメールを受信する画像情報処理方法であって、前記画像情報のメタ情報領域の所望の領域に所定の情報を挿入する情報挿入工程と、送信メールデータの所望の領域に所定の処理指示データ情報を挿入する指示データ挿入工程と、前記画像情報を前記メタ情報内に挿入された情報に対応した画像処理を行って所望の処理結果を取得する画像情報処理工程と、少なくともメールの件名や本文または画像情報内のメタ情報領域に記述されたいずれかの操作手順処理情報を解析する解析工程と、前記画像情報処理手段による処理結果と、前記操作処理手順解析で得られた処理手順とにより所望の情報操作を制御実行する処理工程と、処理結果または処理過程の少なくともいずれかの情報をメールにて提示する提示工程と、を含むことを特徴とする。
【手続補正２７】
【補正対象書類名】明細書
【補正対象項目名】００４１
【補正方法】変更
【補正の内容】
【００４１】
この発明によれば、請求項１３に記載の各工程により、小型で情報処理が限定された携帯情報端末において簡便でかつユーザの要求に対して柔軟な情報提供が実現可能になる。
【手続補正２８】
【補正対象書類名】明細書
【補正対象項目名】００４２
【補正方法】変更
【補正の内容】
【００４２】
また、請求項１４にかかる発明は、前記画像情報の処理結果により所定のデータベースに格納され処理結果に対応した付加情報を参照する付加情報参照工程と、前記処理手順内に参照されたデータに応じて前記処理手順内に所望な処理を追加する処理制御工程と、を含むことを特徴とする。
【手続補正２９】
【補正対象書類名】明細書
【補正対象項目名】００４３
【補正方法】変更
【補正の内容】
【００４３】
この発明によれば、請求項１３において、画像情報の処理結果により所定のデータベースに格納され処理結果に対応した付加情報を参照する付加情報参照工程と、処理手順内に参照されたデータに応じて処理手順内に所望な処理を追加する処理制御工程と、を含むことにより、小型で情報処理が限定された携帯情報端末において簡便でかつユーザの要求に対して柔軟な情報提供が実現可能になる。
【手続補正３０】
【補正対象書類名】明細書
【補正対象項目名】００４４
【補正方法】変更
【補正の内容】
【００４４】
また、請求項１５にかかる発明は、実装されている処理サービスのリスト情報を格納するリスト情報格納工程と、前記携帯情報端末において所定の情報処理装置に対して実行可能な前記情報処理内容を示す処理サービスリストを要求する要求工程と、前記情報処理装置からの前記サービスリスト情報を格納するサービスリスト情報格納工程と、前記画像情報のメタ情報に前記サービスリストからの選択操作により処理情報をセットする操作工程と、を含むことを特徴とする。
【手続補正３１】
【補正対象書類名】明細書
【補正対象項目名】００４５
【補正方法】変更
【補正の内容】
【００４５】
この発明によれば、請求項１３において、実装されている処理サービスのリスト情報を格納するリスト情報格納工程と、携帯情報端末において所定の情報処理装置に対して実行可能な情報処理内容を示す処理サービスリストを要求する要求工程と、情報処理装置からのサービスリスト情報を格納するサービスリスト情報格納工程と、画像情報のメタ情報に前記サービスリストからの選択操作により処理情報をセットする操作工程と、を含むことにより、ロケーションやＬＡＮごとに提供されるサービスをユーザが自由にかつ簡便に利用する環境を提供することが可能になる。
【手続補正３２】
【補正対象書類名】明細書
【補正対象項目名】００４６
【補正方法】変更
【補正の内容】
【００４６】
また、請求項１６にかかる発明は、前記画像情報が複数の画像情報からなり、前記複数の画像情報から所定の処理用の画像データを生成する画像処理工程を含むことを特徴とする。
【手続補正３３】
【補正対象書類名】明細書
【補正対象項目名】００４７
【補正方法】変更
【補正の内容】
【００４７】
この発明によれば、請求項１３において、前記画像情報が複数の画像情報からなり、前記複数の画像情報から所定の処理用の画像データを生成する画像処理工程を含むことにより、複数の画像情報から信頼性の高い情報を提供することが可能になり、なりすましなどのセキュリティ対策が可能になる。
【手続補正３４】
【補正対象書類名】明細書
【補正対象項目名】００４８
【補正方法】変更
【補正の内容】
【００４８】
また、請求項１７にかかる発明は、少なくとも、通信手段と、撮影手段と、画像情報を所定のフォーマットにて電子ファイルに変換する変換手段とを有する携帯情報端末と、前記通信手段にて接続可能なネットワーク上に設置してなる前記画像情報を取得する画像情報取得手段と、を有し、前記携帯情報端末は、前記画像情報を前記ネットワークを介して前記画像情報取得手段に送信する際に前記画像ファイルもしくは送信情報に所定の処理情報を記述する記述手段を有し、前記画像情報取得手段を監視し前記画像情報取得手段に前記処理情報を含む添付情報が付加された画像ファイルが送信された際に前記添付情報を元に前記画像情報に対して所定の処理を行う画像情報処理システムであって、前記処理対象画像が少なくとも同一もしくはひとつ以上の撮影条件を変化させて同一対象を撮影した連続画像情報であり、少なくとも２つ以上の前記画像情報の画像処理結果を基に前記添付情報に含まれる処理情報に基づく処理を実行する処理実行手段を備えたことを特徴とする。
【手続補正３５】
【補正対象書類名】明細書
【補正対象項目名】００５０
【補正方法】変更
【補正の内容】
【００５０】
また、請求項１８にかかる発明は、前記連続画像情報が同一対象を撮影した画像情報であることを示す情報を各画像情報のファイル名やメタ情報等のファイル属性に付加するファイル属性付加手段を設けたことを特徴とする。
【手続補正３６】
【補正対象書類名】明細書
【補正対象項目名】００５１
【補正方法】変更
【補正の内容】
【００５１】
この発明によれば、請求項１７において、連続画像情報が同一対象を撮影した画像情報
であることを示す情報を各画像情報のファイル名やメタ情報等のファイル属性に付加するファイル属性付加手段を設けたことにより、連写画像として確実に処理することが可能になるとともに、ユーザの要求に対して確実なシステムの提供が可能になる。
【手続補正３７】
【補正対象書類名】明細書
【補正対象項目名】００５２
【補正方法】変更
【補正の内容】
【００５２】
また、請求項１９にかかる発明は、前記連続画像情報での画像処理結果のうち少なくとも２つ以上一致する結果が得られたことを認識する認識手段と、前記一致結果を画像処理結果として採用して前記画像情報に付加された処理を継続する継続手段と、を設けたことを特徴とする。
【手続補正３８】
【補正対象書類名】明細書
【補正対象項目名】００５３
【補正方法】変更
【補正の内容】
【００５３】
この発明によれば、請求項１７において、連続画像情報での画像処理結果のうち少なくとも２つ以上一致する結果が得られたことを認識する認識手段と、一致結果を画像処理結果として採用して画像情報に付加された処理を継続する継続手段と、を設けたことにより、効果的な画像処理を実行することが可能になるとともに、ユーザの要求に対して確実なシステムの提供が可能になる。
【手続補正３９】
【補正対象書類名】明細書
【補正対象項目名】００５４
【補正方法】変更
【補正の内容】
【００５４】
また、請求項２０にかかる発明は、前記連続画像情報の各画像処理結果を比較合成する比較合成手段と、前記比較合成手段からの比較合成処理結果を用いて前記画像情報に付加された処理を継続する処理継続手段と、を設けたことを特徴とする。
【手続補正４０】
【補正対象書類名】明細書
【補正対象項目名】００５５
【補正方法】変更
【補正の内容】
【００５５】
この発明によれば、請求項１７において、連続画像情報の各画像処理結果を比較合成する比較合成手段と、比較合成手段からの比較合成処理結果を用いて画像情報に付加された処理を継続する処理継続手段と、を設けたことにより、効果的な画像処理を実行することが可能になるとともに、ユーザの要求に対して確実なシステムの提供が可能になる。
【手続補正４１】
【補正対象書類名】明細書
【補正対象項目名】００５６
【補正方法】変更
【補正の内容】
【００５６】
また、請求項２１にかかる発明は、少なくとも、通信手段と、撮影手段と、画像情報を所定のフォーマットにて電子ファイルに変換する変換手段とを有する携帯情報端末と、前記画像情報を取得する画像情報取得手段と、を有し、さらに前記携帯情報端末は、前記画像情報を前記ネットワークを介して前記取得手段に送信する際に前記画像ファイルもしくは送信情報に所定の処理情報を記述する情報記述手段を有し、前記画像取得手段を監視し前記画像情報取得手段に前記処理情報を含む添付情報が付加された画像ファイルが送信された際に前記添付情報を元に前記画像情報に対して所定の処理を行う画像情報処理方法であって、前記処理対象画像が少なくとも同一もしくはひとつ以上の撮影条件を変化させて同一対象を撮影する撮影工程と、前記画像情報群を送信する送信工程と、少なくとも２つ以上の前記画像情報の画像処理結果を基に前記添付情報に含まれる処理情報に基づく処理を実行する処理工程と、を含むことを特徴とする。
【手続補正４２】
【補正対象書類名】明細書
【補正対象項目名】００５７
【補正方法】変更
【補正の内容】
【００５７】
この発明によれば、請求項２１に記載の各工程により、小型で情報処理が限定された携帯情報端末において簡便でかつユーザの要求に対して柔軟な情報提供が実現可能になる。
【手続補正４３】
【補正対象書類名】明細書
【補正対象項目名】００５８
【補正方法】変更
【補正の内容】
【００５８】
また、請求項２２にかかる発明は、前記連続画像情報が同一対象を撮影した画像情報であることを示す情報を各画像情報のファイル名やメタ情報等のファイル属性に付加する属性付加工程を含むことを特徴とする。
【手続補正４４】
【補正対象書類名】明細書
【補正対象項目名】００５９
【補正方法】変更
【補正の内容】
【００５９】
この発明によれば、請求項２１において、連続画像情報が同一対象を撮影した画像情報であることを示す情報を各画像情報のファイル名やメタ情報等のファイル属性に付加する属性付加工程を含むことにより、連写画像として確実に処理することが可能になるとともに、ユーザの要求に対して確実な画像情報処理方法の提供が可能になる。
【手続補正４５】
【補正対象書類名】明細書
【補正対象項目名】００６０
【補正方法】変更
【補正の内容】
【００６０】
また、請求項２３にかかる発明は、前記連続画像情報での画像処理結果のうち少なくとも２つ以上一致する結果が得られたことを認識する認識工程と、前記の一致結果を画像処理結果として採用して前記画像情報に付加された処理を継続する継続工程と、を含むことを特徴とする。
【手続補正４６】
【補正対象書類名】明細書
【補正対象項目名】００６１
【補正方法】変更
【補正の内容】
【００６１】
この発明によれば、請求項２１において、連続画像情報での画像処理結果のうち少なくとも２つ以上一致する結果が得られたことを認識する認識工程と、前記の一致結果を画像処理結果として採用して画像情報に付加された処理を継続する継続工程と、を含むことにより、効果的な画像処理を実行することが可能になるとともに、ユーザの要求に対して確実な画像情報処理方法の提供が可能になる。
【手続補正４７】
【補正対象書類名】明細書
【補正対象項目名】００６２
【補正方法】変更
【補正の内容】
【００６２】
また、請求項２４にかかる発明は、前記連続画像情報の各画像処理結果を比較合成する比較合成工程と、前記比較合成工程からの比較合成処理結果を用いて前記画像情報に付加された処理を継続する継続工程と、を含むことを特徴とする。
【手続補正４８】
【補正対象書類名】明細書
【補正対象項目名】００６３
【補正方法】変更
【補正の内容】
【００６３】
この発明によれば、請求項２１において、連続画像情報の各画像処理結果を比較合成する比較合成工程と、比較合成工程からの比較合成処理結果を用いて画像情報に付加された処理を継続する継続工程と、を含むことにより、効果的な画像処理を実行することが可能になるとともに、ユーザの要求に対して確実な画像情報処理方法の提供が可能になる。
【手続補正４９】
【補正対象書類名】明細書
【補正対象項目名】００６８
【補正方法】削除
【補正の内容】
【手続補正５０】
【補正対象書類名】明細書
【補正対象項目名】００６９
【補正方法】削除
【補正の内容】
【手続補正５１】
【補正対象書類名】明細書
【補正対象項目名】００７０
【補正方法】変更
【補正の内容】
【００７０】
また、本発明（請求項５）にかかる画像情報処理方法は、携帯情報端末によりネットワークを介して接続可能な画像情報記憶手段を監視し、画像情報記憶手段に前記メタ情報が格納された画像ファイルが送信された際に、前記メタ情報を元に画像情報に所定の処理を行ない、処理結果もしくは処理過程の少なくともいずれかの情報を所定の対象者が確認可能な形態で情報を保持もしくは提示するので、小型で情報処理が限定された携帯情報端末において簡便でかつユーザの要求に対して柔軟な情報を提供することができるという効果を奏する。
【手続補正５２】
【補正対象書類名】明細書
【補正対象項目名】００７１
【補正方法】変更
【補正の内容】
【００７１】
また、本発明（請求項６）にかかる画像情報処理方法は、請求項５において、携帯情報端末が前記処理情報をメタ情報領域である画像フォーマットのタグ情報領域にテキスト情報として記述するテキスト情報記述工程を含むので、小型で情報処理が限定された携帯情報端末において簡便でかつユーザの要求に対して柔軟な情報を提供することができるという効果を奏する。
【手続補正５３】
【補正対象書類名】明細書
【補正対象項目名】００７２
【補正方法】変更
【補正の内容】
【００７２】
また、本発明（請求項７）にかかる画像情報処理方法は、請求項５において、メタ情報の処理項目リストをあらかじめ前記携帯情報端末内に記憶する処理項目リスト記憶工程と、操作者による前記リスト内の処理項目の選択情報によりメタ情報領域に所定の処理情報を記述する処理情報記述工程と、を含むので、ユーザインターフェイスに乏しい小型の携帯情報端末においても効率のよい入力が行なえるという効果を奏する。
【手続補正５４】
【補正対象書類名】明細書
【補正対象項目名】００７３
【補正方法】変更
【補正の内容】
【００７３】
また、本発明（請求項８）にかかる画像情報処理方法は、請求項５において、ネットワークを介して前記画像情報が送信され前記画像情報記憶手段に保存されたことを検知する検知工程と、画像ファイル情報が完全に記憶装置で受信された段階でメタ情報に基づく処理を行う処理工程と、を含むので、使用するネットワーク環境による遅延などに起因する処理エラーを低減することができるという効果を奏する。
【手続補正５５】
【補正対象書類名】明細書
【補正対象項目名】００７４
【補正方法】削除
【補正の内容】
【手続補正５６】
【補正対象書類名】明細書
【補正対象項目名】００７５
【補正方法】削除
【補正の内容】
【手続補正５７】
【補正対象書類名】明細書
【補正対象項目名】００７６
【補正方法】変更
【補正の内容】
【００７６】
また、本発明（請求項９）にかかる画像情報処理システムは、請求項９に記載の各構成により、小型で情報処理が限定された携帯情報端末において簡便でかつユーザの要求に対して柔軟な情報を提供することができるという効果を奏する。
【手続補正５８】
【補正対象書類名】明細書
【補正対象項目名】００７７
【補正方法】変更
【補正の内容】
【００７７】
また、本発明（請求項１０）にかかる画像情報処理システムは、請求項９において、画像情報の処理結果により所定のデータベースに格納され処理結果に対応した付加情報を参照する付加情報参照手段を有し、前記処理手順内に参照されたデータに応じて所望な処理を追加する処理制御手段を有するため、小型で情報処理が限定された携帯情報端末において簡便でかつユーザの要求に対して柔軟な情報を提供することができるという効果を奏する。
【手続補正５９】
【補正対象書類名】明細書
【補正対象項目名】００７８
【補正方法】変更
【補正の内容】
【００７８】
また、本発明（請求項１１）にかかる画像情報処理システムは、請求項９において、実装されている処理サービスのリスト情報を格納するリスト情報格納手段と、携帯情報端末において所定の情報処理装置に対して実行可能な情報処理内容を示す処理サービスリストを要求する要求手段と、情報処理装置からの前記サービスリスト情報を格納する格納手段と、画像情報のメタ情報に前記サービスリストからの選択操作により処理情報をセットする操作手段と、を備えたので、ロケーションやＬＡＮごとに提供されるサービスをユーザが自由にかつ簡便に利用する環境を提供することができるという効果を奏する。
【手続補正６０】
【補正対象書類名】明細書
【補正対象項目名】００７９
【補正方法】変更
【補正の内容】
【００７９】
また、本発明（請求項１２）にかかる画像情報処理システムは、請求項９において、画像情報が複数の画像情報からなり、画像情報処理手段において複数の画像情報から所定の処理用の画像データを生成する画像処理手段を設けたので、複数の画像情報から信頼性の高い情報を提供することが可能になり、なりすましなどのセキュリティ対策が可能になるという効果を奏する。
【手続補正６１】
【補正対象書類名】明細書
【補正対象項目名】００８０
【補正方法】変更
【補正の内容】
【００８０】
また、本発明（請求項１３）にかかる画像情報処理方法は、請求項１３に記載の各工程により、小型で情報処理が限定された携帯情報端末において簡便でかつユーザの要求に対
して柔軟な情報を提供することができるという効果を奏する。
【手続補正６２】
【補正対象書類名】明細書
【補正対象項目名】００８１
【補正方法】変更
【補正の内容】
【００８１】
また、本発明（請求項１４）にかかる画像情報処理方法は、請求項１３において、画像情報の処理結果により所定のデータベースに格納され処理結果に対応した付加情報を参照する付加情報参照工程と、処理手順内に参照されたデータに応じて処理手順内に所望な処理を追加する処理制御工程と、を含むので、小型で情報処理が限定された携帯情報端末において簡便でかつユーザの要求に対して柔軟な情報を提供することができるという効果を奏する。
【手続補正６３】
【補正対象書類名】明細書
【補正対象項目名】００８２
【補正方法】変更
【補正の内容】
【００８２】
また、本発明（請求項１５）にかかる画像情報処理方法は、請求項１３において、実装されている処理サービスのリスト情報を格納するリスト情報格納工程と、携帯情報端末において所定の情報処理装置に対して実行可能な情報処理内容を示す処理サービスリストを要求する要求工程と、情報処理装置からのサービスリスト情報を格納するサービスリスト情報格納工程と、画像情報のメタ情報に前記サービスリストからの選択操作により処理情報をセットする操作工程と、を含むので、ロケーションやＬＡＮごとに提供されるサービスをユーザが自由にかつ簡便に利用する環境を提供することができるという効果を奏する。
【手続補正６４】
【補正対象書類名】明細書
【補正対象項目名】００８３
【補正方法】変更
【補正の内容】
【００８３】
また、本発明（請求項１６）にかかる画像情報処理方法は、請求項１３において、画像情報が複数の画像情報からなり、前記複数の画像情報から所定の処理用の画像データを生成する画像処理工程を含むので、複数の画像情報から信頼性の高い情報を提供することが可能になり、なりすましなどのセキュリティ対策が可能になるとい効果を奏する。
【手続補正６５】
【補正対象書類名】明細書
【補正対象項目名】００８４
【補正方法】変更
【補正の内容】
【００８４】
また、本発明（請求項１７）にかかる画像情報処理システムは、処理対象画像が少なくとも同一もしくはひとつ以上の撮影条件を変化させて同一対象を撮影した連続画像情報であり、少なくとも２つ以上の前記画像情報の画像処理結果を基に添付情報に含まれる処理情報に基づく処理を実行する処理実行手段を備えたので、小型で情報処理が限定された携帯情報端末において簡便でかつユーザの要求に対して柔軟な情報を提供することができるという効果を奏する。
【手続補正６６】
【補正対象書類名】明細書
【補正対象項目名】００８５
【補正方法】変更
【補正の内容】
【００８５】
また、本発明（請求項１８）にかかる画像情報処理システムは、請求項１７において、連続画像情報が同一対象を撮影した画像情報であることを示す情報を各画像情報のファイル名やメタ情報等のファイル属性に付加するファイル属性付加手段を設けたので、連写画像として確実に処理することができるとともに、ユーザの要求に対して確実なシステムを提供することができるという効果を奏する。
【手続補正６７】
【補正対象書類名】明細書
【補正対象項目名】００８６
【補正方法】変更
【補正の内容】
【００８６】
また、本発明（請求項１９）にかかる画像情報処理システムは、請求項１７において、連続画像情報での画像処理結果のうち少なくとも２つ以上一致する結果が得られたことを認識する認識手段と、一致結果を画像処理結果として採用して画像情報に付加された処理を継続する継続手段と、を設けたので、効果的な画像処理を実行することができるとともに、ユーザの要求に対して確実なシステムを提供することができるという効果を奏する。
【手続補正６８】
【補正対象書類名】明細書
【補正対象項目名】００８７
【補正方法】変更
【補正の内容】
【００８７】
また、本発明（請求項２０）にかかる画像情報処理システムは、請求項１７において、連続画像情報の各画像処理結果を比較合成する比較合成手段と、比較合成手段からの比較合成処理結果を用いて画像情報に付加された処理を継続する処理継続手段と、を設けたので、効果的な画像処理を実行することができるとともに、ユーザの要求に対して確実なシステムを提供することができるという効果を奏する。
【手続補正６９】
【補正対象書類名】明細書
【補正対象項目名】００８８
【補正方法】変更
【補正の内容】
【００８８】
また、本発明（請求項２１）にかかる画像情報処理方法は、請求項２１に記載の各工程により、小型で情報処理が限定された携帯情報端末において簡便でかつユーザの要求に対して柔軟な情報を提供することができるという効果を奏する。
【手続補正７０】
【補正対象書類名】明細書
【補正対象項目名】００８９
【補正方法】変更
【補正の内容】
【００８９】
また、本発明（請求項２２）にかかる画像情報処理方法は、請求項２１において、連続画像情報が同一対象を撮影した画像情報であることを示す情報を各画像情報のファイル名やメタ情報等のファイル属性に付加する属性付加工程を含むので、連写画像として確実に処理することができるとともに、ユーザの要求に対して確実な画像情報処理方法を提供することができるという効果を奏する。
【手続補正７１】
【補正対象書類名】明細書
【補正対象項目名】００９０
【補正方法】変更
【補正の内容】
【００９０】
また、本発明（請求項２３）にかかる画像情報処理方法は、請求項２１において、連続画像情報での画像処理結果のうち少なくとも２つ以上一致する結果が得られたことを認識する認識工程と、前記の一致結果を画像処理結果として採用して画像情報に付加された処理を継続する継続工程と、を含むので、効果的な画像処理を実行することができるとともに、ユーザの要求に対して確実な画像情報処理方法を提供することができるという効果を奏する。
【手続補正７２】
【補正対象書類名】明細書
【補正対象項目名】００９１
【補正方法】変更
【補正の内容】
【００９１】
また、本発明（請求項２４）にかかる画像情報処理方法は、請求項２１において、連続画像情報の各画像処理結果を比較合成する比較合成工程と、比較合成工程からの比較合成処理結果を用いて画像情報に付加された処理を継続する継続工程と、を含むので、効果的な画像処理を実行することができるとともに、ユーザの要求に対して確実な画像情報処理方法を提供することができるという効果を奏する。